(57)【要約】【課題】本発明は、電子取引システムとともに使うためのユーザーインターフェースを提供するシステムおよび方法に関する。【解決手段】本インターフェースはビッド価格軸およびアスク価格軸を対応する数量とともに、そしてインサイドマーケットの指標を表示する。変化する市場条件に反応してインサイドマーケットが変化すると、ビッド価格軸またはアスク価格軸に平行な方向にビッド価格およびアスク価格をシフトすることによってインサイドマーケットの指標が位置を変え、その後もとの位置に戻る。ユーザーは入力装置を使って種々の価格水準の取引コマンドを入力しうる。そのような取引コマンドが誤った価格水準で入力されるのを防ぐのを助けるため、システムはシフトプロセスの間、入力装置に関連付けられたポインタをユーザーが指している価格に、ユーザーがその価格からポインタを動かさない限り、ロックする。【選択図】図２Ｂ
2015212973.tif 000002
【特許請求の範囲】
【請求項１】
コンピュータ・ディスプレイ上に、少なくとも一つの軸に沿ったある品目についての複数のビッド価格および複数のアスク価格を表示する段階であって、前記少なくとも一つの軸に沿ったある中央表示位置において前記複数のビッド価格および複数のアスク価格のうちの最良ビッド価格および最良オファー価格を含むインサイドマーケットが表示される、段階と、
前記コンピュータ・ディスプレイ上に、入力装置に関連付けられたポインタを表示する段階と、
ある第一のビッド価格およびある第一のアスク価格からある第二のビッド価格およびある第二のアスク価格のうちの少なくとも一方への前記インサイドマーケットへの変化を含む市場情報を受領する段階と、
前記インサイドマーケットへの変化を含む前記市場情報を受領するのに応答して、前記コンピュータ・ディスプレイ上で、前記中央表示位置とは異なる前記少なくとも一つの軸に沿った第二の位置に前記インサイドマーケットを表示する段階と、
コンピュータによって自動的に、前記第二の位置に前記インサイドマーケットを表示するのに応答して、前記コンピュータ・ディスプレイの前記少なくとも一つの軸に沿って（１）前記複数のビッド価格および（２）前記複数のアスク価格の少なくとも一方を特定の速さでシフトさせて、前記インサイドマーケットを前記中央表示位置に戻す段階とを含み、
前記シフトが行なわれる前記特定の速さは少なくとも部分的には、（１）前記ディスプレイ上での前記ポインタの位置および（２）前記ディスプレイ上での前記ポインタの動きのうちの少なくとも一方の決定に基づく、
方法。
【請求項２】
前記ディスプレイ上での前記ポインタの位置が前記ディスプレイ上での前記ビッドおよびアスク価格の一つの位置に対応することを判別する段階と、
前記ディスプレイ上での前記ポインタの位置が前記ディスプレイ上での前記ビッドおよびアスク価格の一つの位置に対応することを判別するのに応答して、前記複数のビッドおよびアスク価格をシフトさせる前記特定の速さを、前記ディスプレイ上での前記ポインタの位置が前記ディスプレイ上での前記複数のビッドおよびアスク価格のいずれの位置とも対応しないときに比べて低下させる段階とをさらに含む、
請求項１記載の方法。
【請求項３】
前記ポインタが前記ディスプレイ上で前記インサイドマーケットの位置に向かって動いていることを判別する段階と；
前記ポインタが前記ディスプレイ上で前記インサイドマーケットの位置に向かって動いているとの判別に応答して、前記シフトの前記特定の速さを減少させる段階とをさらに含む、
請求項１記載の方法。
【請求項４】
前記ポインタが前記インサイドマーケットの位置に近づくにつれて、前記特定の速さが減少させられる量が増大させられる、請求項３記載の方法。
【請求項５】
前記ディスプレイ上での前記ポインタの位置が前記ディスプレイ上での特定の価格の位置に対応することを判別する段階と、
前記ディスプレイ上での前記ポインタの位置が前記ディスプレイ上での前記特定の価格の位置に対応することを判別するのに応答して、前記ポインタの位置を前記ディスプレイ上の前記特定の価格の位置に維持するよう、前記特定の価格の位置がシフトされるにつれて前記ポインタの位置を直す段階とをさらに含む、
請求項１記載の方法。
【請求項６】
前記複数のビッド価格およびアスク価格をシフトさせるのと実質的に同時に、前記ポインタの位置を直し、該ポインタが、前記インサイドマーケットの前記変化の前に以前指されていた価格を指しているようにすることをさらに含む、請求項１記載の方法。
【請求項７】
前記少なくとも一つの軸が第一の軸および第二の軸を含み、前記複数のビッド価格が前記第一の軸に沿って表示され、前記複数のアスク価格が前記第二の軸に沿って表示され、前記第二の軸が前記第一の軸と平行であるが同一直線上ではない、請求項１記載の方法。
【請求項８】
前記特定の速さが前記コンピュータ・ディスプレイのユーザーによって設定される、請求項１記載の方法。
【請求項９】
前記特定の速さが少なくとも部分的には市場活動に基づくものである、請求項１記載の方法。
【請求項１０】
前記コンピュータ・ディスプレイのユーザーが当該品目を取引するコマンドを入力するときに前記特定の速さが低下する、請求項１記載の方法。
【請求項１１】
前記複数のビッド価格およびアスク価格をシフトさせることが、前記複数のビッド価格およびアスク価格をピクセル単位で前記コンピュータ・ディスプレイ上でシフトさせることを含む、請求項１記載の方法。
【請求項１２】
前記複数のビッド価格およびアスク価格をシフトさせることが、前記複数のビッド価格およびアスク価格をセル単位で遷移させることを含む、請求項１記載の方法。
【発明の詳細な説明】
【技術分野】
【０００１】
本出願は、２００４年７月２９日に出願された米国仮出願第６０／５９２，４１５号、２００４年１１月１９日に出願された米国仮出願第６０／６２９，６９６号、２００５年２月１４日に出願された米国仮出願第６０／６５３，０５６号、２００５年２月１８日に出願された米国仮出願第６０／６５４，３５０号、２００５年５月５日に出願された米国仮出願第６０／６７８，３８３号の恩恵を主張するものであり、これらの文献はここに参照によってそれぞれの全体において組み込まれる。
【０００２】
本発明は、電子取引システムに関する。より詳細には、本発明は電子取引システムに関するユーザーインターフェースおよびユーザーインターフェースの使用の方法に関する。
【背景技術】
【０００３】
今日の取引の多くは、単純な情報配送から財およびサービスの取引を自動化する洗練された取引システムまで、何らかのコンピュータ支援に関わっている。電子取引システムおよび方法は、金融証書（株、債券、通貨、先物、オプションなどのような）から家庭用品（古いレコード、アンティーク、ワインなど）までにわたる広範な品物の取引のために広範な受容を得るに至っている。
【０００４】
電子取引の人気が高まるにつれ、ますます多くのトレーダーが、迅速で効率的で正確な仕方で取引コマンドを入力する新しいシステムおよび方法を必要としている。電子取引の一つの方法では、トレーダーによってビッドとアスクが取引システムに提出される。それらのビッドとアスクは次いで取引システムによって他のトレーダーに表示され、すると他のトレーダーは売り（もしくはヒット）または買い（もしくはリフト）コマンドをシステムに提出することによってビッドおよびアスクに反応しうる。
【０００５】
電子取引のそのようなシステムおよび方法のいくつかの実装は、ビッドの列、アスクの列および単一の価格軸を示す。ビッドおよびアスクの量は標準のきざみで表示されるそれぞれの価格と関連付けられている。ストレートではあるが、このアプローチはインサイドマーケットをユーザーに曖昧さなく伝えることはしない。特に取引インターフェースが静的な価格軸を表示する場合はそうである。これはユーザーの注意が価格の変化よりも量の変化に引きつけられるからである。さらに、このアプローチはリアルタイムで起こっていた取引活動を示すこともしない。
【０００６】
さらに、取引はハイペースで実行されるので、市場条件は急速に変化する。したがって、価格ポジションは急速に変化し、時には一瞬で変化する。したがって、そのようなシステムのユーザーは誤った価格水準で取引コマンドを入力する危険に直面する。たとえば、マウスポインタを使って価格を選択しても、そのコマンドがシステムに登録されるまでには価格は変わっているかもしれないのである。そのような誤った入力は、急速に変化する市場ではきわめて望ましくない結果につながりうる。そのようなユーザーの多くは複数の活動中の市場を追っているトレーダーで、典型的には複数のウィンドウ、インターフェースまたは画面を同時に見ることによってそのような誤った入力が起こる可能性を高めている。
【０００７】
したがって、迅速で正確で効率的な取引実行を保証しつつ明確に価格変動を表現するシステムおよび方法を提供することが望ましいであろう。
【０００８】
また、インサイドマーケットがビッド／アスク価格およびそれに関連付けられた量の動的な表示によってユーザーに表示される直感的な電子取引のためのユーザーインターフェースを提供することも望ましいであろう。
【０００９】
また、所望の価格水準での注文入力のために正確でアクセスしやすい軸を維持しつつビッド／アスク価格およびその関連付けられた量の表示をなめらかに調整することも望ましいであろう。
【００１０】
また、ユーザーが任意の好適な入力装置を使ってユーザーインターフェースを操作できるようにすることも望ましいであろう。
【発明の概要】
【発明が解決しようとする課題】
【００１１】
したがって、迅速で正確で効率的な取引実行を保証しつつ明確に価格変動を表現するシステムおよび方法を提供することが本発明の一つの目的である。
【００１２】
インサイドマーケットがビッド／アスク価格およびそれに関連付けられた量の動的な表示によってユーザーに表示される直感的な電子取引のためのユーザーインターフェースを提供することが本発明のもう一つの目的である。
【００１３】
所望の価格水準での注文入力のために正確でアクセスしやすい軸を維持しつつビッド／アスク価格およびその関連付けられた量の表示をなめらかに調整することが本発明のさらにもう一つの目的である。
【００１４】
ユーザーが任意の好適な入力装置を使ってユーザーインターフェースを操作できるようにすることが本発明のさらにもう一つの目的である。
【課題を解決するための手段】
【００１５】
これらのことを含む本発明のさまざまな目的は、本発明の原理に従って、ユーザーインターフェースを通じて品目の市場情報を表示し、品目の電子取引を許容するシステムおよび方法を提供することによって達成される。より具体的には、本発明のいくつかの実施形態は、電子取引システムとともに使うための、ビッド価格およびアスク価格を好ましくは互いに平行であってもなくてもよい異なる軸に沿って表示するインターフェースを提供する。代替的には、ビッド価格およびアスク価格は単一の軸に沿って表示されてもよい。それぞれのビッド価格またはアスク価格は、一本のそのような軸に沿って特定のセル内に表示されうる。セルは、そこに表示される価格水準に従って連続的に順序付けられうる。本インターフェースは、それぞれの対応する価格と並んで数量情報を表示するために、価格軸の一本と平行な少なくとも一本の追加的な軸を表示しうる。本発明のいくつかの実施形態では、本インターフェースは、ビッド数量軸およびアスク数量軸を提供しうる。本インターフェースはまた、インサイドマーケット――すなわち、数量が存在する最良（最高）ビッド価格および最良（最低）オファー価格――の指標をも提供しうる。この指標は本インターフェース内の中心に位置されうる。好ましくは、各価格軸は、相異なる価格水準を表示する縦に整列したセルを含み、インサイドマーケットは最低ビッド価格と最高アスク価格との間の比較的中程に表示される。インサイドマーケットの閲覧を容易にするため、数量が存在する最良ビッド価格を表示するセルは好ましくは数量が存在する最良アスク価格を表示するセルと並んで、あるいは隣接して表示される。したがって、インサイドマーケットは価格軸に平行な軸に沿って表示されうる。好ましくは、価格軸および数量軸は縦軸で、インサイドマーケットが表示される軸は横軸である。代替的には価格軸および数量軸は曲線状の（curved）平行または交差する線であってもよい。たとえば、各軸は実質的に円弧の形で、本取引インターフェースが円または楕円の少なくとも一部分または全体を表現しているのでもよい。本発明の代替的な諸実施形態では、インサイドマーケットは単一軸に沿って表示されない。
【００１６】
変化する市場条件に反応してインサイドマーケットが変化するとき、その指標は、好ましくは本インターフェース内の中心にある第一の位置から価格軸に沿って第二の位置へと位置を変える。好ましくは、インサイドマーケットが変化する市場条件に反応して変化するとき、価格軸の一つ（第一の軸）において以前の最良価格がはいっていた第一のセルはその価格がはいっているままではあるが、第一の軸において何もはいっていなかったある第二のセルに新しい最良ビッド価格または最良アスク価格がはいる。前記第一の軸上で前記第一のセルおよび第二のセルの間に位置されているセルにも、以前の最良価格と新しい最良価格との間にある価格がはいっていてもよい。前記第一および第二のセルを隔てる第一の軸において以前の最良価格と新しい最良価格との間にある、価格がはいっているセルの数Ｎは、いくつであってもよい。もう一方の価格軸（第二の価格軸）において、前記第一のセルに隣接し、もう一方の最良価格を表示していたある第三のセルの中身はなくなる。該第二の軸上において、前記第一の軸においてこのたび値がはいったセルに隣接するＮ個のセルも同様である。前記第一の軸における第二のセルおよび前記第二の軸においてそれに隣接するある第四のセルは、前記の新しい最良価格を表示しうる。それにより新しいインサイドマーケットが示されるが、それはインターフェースの中心からＮ＋１セルだけ価格軸に平行な方向に沿って変位しているはずである。
【００１７】
インサイドマーケットが変化し、新しいインサイドマーケットの指標がインターフェースの中心以外の位置に表示されたのち、インサイドマーケットの指標はインターフェースの中心に戻されうる。これは、ビッド価格およびアスク価格を、それらが表示されている価格軸と平行な方向にシフトさせることによって達成される。より具体的には、シフトは、セル単位でなされ、すべてのセルが実質的に同時に遷移してもよい。したがって、そのようなシフトは一時に一行の速度で行われ、すべての行が実質的に同時に遷移する。そのような遷移それぞれについて、第一の価格軸において値のはいっているセルの数は減少しうる一方、他方の価格軸において値のはいっているセルの数は増加しうる。本発明のその他の実施形態では、ビッド価格およびアスク価格が一つのセルから別のセルへと実質的に同時に遷移するシフトがなされうる。本発明のさらにほかの実施形態では、シフトは一時に二行以上の割合で行われうる。たとえば、遷移は一時に二行またはそれ以上の割合で行われてもよい。本発明の代替的な諸実施形態では、シフトは実質的に連続的――たとえばピクセル単位――で、比較的シームレスな仕方で表示されるのでもよい。
【００１８】
シフトが行われる速さは上げてもよいし、該シフトプロセスのポーズすなわち一時停止の点まで下げてもよい。そのような速さはユーザーによって定義されてもよいし、ユーザーまたは市場の活動に依存しているのでもよい。シフトプロセスの間、適切な方法――たとえば、ハイライト、ボールド化または他の任意の好適な方法――を使ってインサイドマーケットを識別してもよい。シフトプロセスの間にインサイドマーケットが変化した場合、インサイドマーケットの指標は、実質的に即座に――すなわち中間の行を通っての遷移なしで――新しいインサイドマーケットに対応する価格水準にシフトしてもよいし、あるいは所定の速度で新しいインサイドマーケットに対応する価格水準まで変化してもよい。インサイドマーケットの位置は任意の時点において、あるいはユーザー入力コマンドのためなど任意の適切な理由で、自動的に中心に位置され直されてもよい。
【００１９】
さらに、変化する市場条件に反応してインサイドマーケットが変化するとき、価格のうち少なくとも一つがビッド価格軸とアスク価格軸との間で位置を変えうる。受け付けられる（もしくは拒否される）前の提出された注文の数量、完了した取引の数量および／または総数量のうちの当該ユーザーのシェアも表示されてもよい。
【００２０】
ユーザーは入力装置を使ってビッド注文、アスク注文、買い注文および売り注文を入力し、提出前にそれらを修正しうる。注文提出を容易にするため、ユーザーに対してその他の入力領域が表示されてもよい。本発明のいくつかの実施形態では、ある特定の価格を含む、またはある特定の価格に隣接するセルにユーザーがポインタを移動させると、システムはポインタをその価格にロックしうる。すなわち、インサイドマーケットの指標がシフトするとき、ユーザーがポインタを動かしてそのセルから動かさない限り、ポインタはその同じ価格を含む、またはその同じ価格に隣接するセルを指すよう位置し直されうる。
本発明の上記のことを含むさまざまな目的は、付属の図面とともに参照すべき以下の詳細な記述を考察すれば明らかとなろう。図面を通じて同様の参照符号は同様の部分を指す。
【図面の簡単な説明】
【００２１】
【図１】本発明のある実施形態のプロセスおよび機能を実装するために使われうる例示的なシステムのブロック図である。
【図２Ａ】本発明のある実施形態によりユーザーに表示されうる例示的な対話的表示の図解である。
【図２Ｂ】本発明のある実施形態によりユーザーに表示されうる例示的な対話的表示の図解である。
【図２Ｃ】本発明のある実施形態によりユーザーに表示されうる例示的な対話的表示の図解である。
【図２Ｄ】本発明のある実施形態によりユーザーに表示されうる例示的な対話的表示の図解である。
【図２Ｅ】本発明のある実施形態によりユーザーに表示されうる例示的な対話的表示の図解である。
【図３Ａ】本発明のある実施形態によりユーザーに表示されうる例示的な対話的表示の代替的な実施例の図解である。
【図３Ｂ】本発明のある実施形態によりユーザーに表示されうる例示的な対話的表示の代替的な実施例の図解である。
【図４】本発明のある実施形態によりユーザーに表示されうる例示的な対話的表示の代替的な実施例の図解である。
【図５】本発明のある実施形態によりユーザーに表示されうる例示的な対話的表示のもう一つの代替的な実施例の図解である。
【発明を実施するための形態】
【００２２】
本発明は、従来技術のシステムおよび方法よりも高いレベルの動きおよび取引活動を示す市場情報を表示し、従来技術のシステムおよび方法に比べて追加された機能性を有し、より使用が簡単で、より直感的な取引インターフェースを提供するシステムおよび方法に向けられている。本発明はまた、ユーザー入力を受け取るためのユーザー入力装置にも向けられている。より詳細には、本発明は、任意のユーザー――たとえばブローカー、トレーダーまたはその他任意の市場参加者――が、個別的な諸品目に対して出されるビッドおよびアスクすなわちオファーといった市場活動を閲覧し、直感的で迅速で正確な仕方で取引を入力、実行および閲覧することを許容する、構成、ラベル、色付け、プログラムされた機能性などを有する、カスタマイズ可能なインターフェースおよび入力装置に関する。ビッド（すなわち買いコマンド）はビッド価格――すなわちある銘柄または品目を購入するために提案されるドル額――およびビッド数量――すなわち、特定のビッドの量――を含みうる。同様に、アスクすなわちオファーはアスク価格すなわちオファー価格――すなわち、ある銘柄または品目を売るために提案されるドル額――およびアスク数量すなわちオファー数量――すなわち、特定のアスクすなわちオファーの量――を含みうる。
【００２３】
本発明のさらなる詳細は図１〜図５との関係で以下に述べる。
【００２４】
図１を参照すると、本発明を実装するための例示的なシステム１００が示されている。図示されているように、システム１００は一つまたは複数のワークステーション１１０を含みうる。ワークステーション１１０はローカルでもリモートでもよく、一つまたは複数の通信リンク１０２によってコンピュータネットワーク１０３に接続されており、該コンピュータネットワーク１０３は通信リンク１０５を介してサーバー１２０にリンクされている。サーバー１２０は通信リンク１０７を介してバックオフィス精算センター１３０にリンクされていてもよい。
【００２５】
サーバー１２０はいかなる好適なサーバー、プロセッサ、コンピュータ、データ処理装置またはそれらの組み合わせであってもよい。サーバー１２０を使って実装されうる統御論理は、注文および取引を処理および実行し、価格および数量の情報を含む取引および市場情報をワークステーション１１０に配送する。コンピュータネットワーク１０３は好ましくはインターネットを含むが、イントラネット、広域ネットワーク（ＷＡＮ）、構内ネットワーク（ＬＡＮ）、無線ネットワーク、デジタル加入者線（ＤＳＬ）ネットワーク、フレームリレーネットワーク、非同期転送モード（ＡＴＭ）ネットワーク、仮想閉域網（ＶＰＮ）またはそれらの任意の組み合わせといったいかなる好適なコンピュータネットワークからなるのでもよい。通信リンク１０２および１０５は、ワークステーション１１０とサーバー１２０との間でデータを通信するために好適ないかなる通信リンクであってもよく、たとえばネットワークリンク、ダイヤルアップリンク、無線リンク、有線リンクなどであってもよい。
【００２６】
ワークステーション１１０は、パーソナルコンピュータ、ラップトップコンピュータ、メインフレームコンピュータ、ダム端末、データディスプレイ、インターネットブラウザ、携帯情報端末（ＰＤＡ）、双方向ポケベル、無線端末、携帯電話などまたはそれらの任意の組み合わせでありうる。市場参加者はワークステーション１１０を使って、取引されている品目についてのビッド注文、アスク注文、買い注文および売り注文を入力し、それらの品目に対応する市場活動を閲覧しうる。
【００２７】
典型的なワークステーション１１０はプロセッサ１１１、ディスプレイ１１２、入力装置１１３およびメモリ１１４を含んでいてもよく、それらは相互接続されていてもよい。ある好ましい実施形態では、メモリ１１４は、プロセッサ１１１を制御するためのワークステーションプログラムを保存するための記憶デバイスを含みうる。メモリ１１４は以下に述べるようにユーザー構成設定ファイルおよびその他のデータをも該記憶デバイス上に保存していてもよい。ワークステーションプログラムは、図２〜図５に示され、ディスプレイ１１２上に表示される取引インターフェースを走らせるための取引アプリケーションを含みうる。ユーザーは入力装置１１３を、所望の品目についてのビッド／アスクを入力するため、ならびに取引を実行および監視するために、ディスプレイ１１２と一緒に使用しうる。プロセッサ１１１は前記ワークステーションプログラムを使って、システム１００の複数ユーザーまたはその他のユーザーによって取引されている品目に関係する取引情報を受け取り、そのような情報をディスプレイ１１２上に表示するかそのような情報をディスプレイ１１２に通信するかしうる。
【００２８】
サーバー１２０はプロセッサ１２１、ディスプレイ１２２、入力装置１２３およびメモリ１２４を含んでいてもよく、それらは相互接続されていてもよい。ある好ましい実施形態では、メモリ１２４は、プロセッサ１２１を制御するための統御論理を提供するサーバープログラムを保存するための記憶デバイスを含みうる。プロセッサ１２１は前記サーバープログラムを使って、システム１００の複数ユーザーまたはその他のユーザーによって操作されているさまざまなワークステーションから通信された注文を処理し、取引を実行し、取引情報をビッドおよびアスク情報と同様にワークステーション１１０およびバックオフィス精算センター１３０に通信しうる。より具体的には、プロセッサ１２１は、入力装置１１３を使ってユーザーがコマンドを入力するのに反応してユーザーによって出された注文を処理し、そのような注文に基づいて適用可能であれば常に取引を実行するために前記サーバープログラムを使用しうる。
【００２９】
バックオフィス精算センター１３０は、取引の決済を引き起こし、および／または取引が決済されることを検証するための、コンピュータ、ラップトップコンピュータ、メインフレームコンピュータなどまたはそれらの任意の組み合わせでありうる。通信リンク１０７はサーバー１２０とバックオフィス精算センター１３０との間でデータを通信するために好適ないかなる通信リンクであってもよく、たとえばネットワークリンク、ダイヤルアップリンク、無線リンク、有線リンクなどであってもよい。
【００３０】
図２〜図５は、本発明の原理に基づく、図１のシステム１００によって実装され、表示されうるユーザーインターフェースを図示している。たとえば、図２〜図５は、ディスプレイ１１２上に示され、入力装置１１３を使って操作されうる対話的表示またはその部分を図示している。
【００３１】
図２Ａ〜２Ｅは、本発明に基づく取引インターフェースを示しており、利率に関係する手段、その派生商品または他の任意の手段および／もしくは品目といった金融手段（ｆｉｎａｎｃｉａｌ  ｉｎｓｔｒｕｍｅｎｔｓ）の電子取引に関連付けられうる。より具体的には、図２Ａ〜２Ｅは異なる時点における市場の対話的表示２００を示している。対話的表示２００は複数の縦の軸すなわち列を示しているものの、本発明の範囲は横の軸、曲線状の軸および他の任意の好適な軸もしくは表示領域をも含むことを注意しておくべきであろう。さらに、論じられる複数の軸は、少なくともビッド価格とアスク価格とを表示する単一の軸において組み合わされてもよい。その同じ軸、あるいは代替的には他の軸が、これらの価格に関連付けられた数量といった追加的情報を表示してもよい。
【００３２】
対話的表示２００は好ましくは、第一の軸上にビッド数量の列２１０を、第二の軸上にアスク数量の列２２０および第三の軸上にビッド価格の列２３０を、第四の軸上にアスク価格の列２４０を含む。ビッド価格の列２３０とビッド数量の列２１０はインターフェース２００のビッド側を表し、アスク価格の列２４０とアスク数量の列２２０はインターフェース２００のアスク側を表す。価格の列２３０および２４０のそれぞれはいくつかのセルを含むことができ、そのそれぞれが個別の価格レベルを表示する。セルはそこに表示される価格水準に従って連続的に順序付けられる。各セルは、横および／または縦の辺を含む表示された枠を有していてもいなくてもよい。ビッド数量の列２１０は好ましくは、ビッド価格の列２３０に示されている対応する価格で提示されているビッドの数量を表示する。同様に、アスク数量の列２２０は好ましくは、アスク価格の列２４０に示されている対応する価格で提示されているアスクの数量を表示する。ある特定の価格に対応する数量は、その価格を表示するセルに隣接するセルに表示されうる。ビッドに関連付けられた列とアスクに関連付けられた列との違いを強調するために視覚的な印を用いてもよい。たとえば、ビッド数量の列２１０および／またはビッド価格の列２３０は、アスク数量の列２２０およびアスク価格の列２４０とは別の色としてもよい。
【００３３】
本発明の代替的な諸実施形態では、各数量セルは少なくとも二つの数を表示しうる：システムによってすでに受け付けられた数量を表す数値と、システムによって受け付けられる（または拒否される）前の提出された注文の数量を表す数値である。この後者は、ユーザーが参加する、あるいは関心のある数量を表しうる。あるいはまた、本発明の他の諸実施形態では、前記少なくとも二つの数値が組み合わされて、表示されている総数量が上述した両方の数量を含んでいることを示すよう視覚的な印を使ってもよい。
【００３４】
本発明のいくつかの実施形態では、少なくとも二つの列が表示されうる：ビッド価格に関連付けられた列と、アスク価格に関連付けられたもう一つの列である。ビッドの列はさらにビッド価格に関連付けられたビッド数量を表示してもよいし、アスクの列はアスク価格に関連付けられた数量を表示してもよい。本発明の代替的な諸実施形態では、あるビッド価格に関連付けられた数量がそのビッド価格に隣接して表示され、同様に、あるアスク価格に関連付けられた数量がそのアスク価格に隣接して表示されるよう、数量を含むある第三の列が表示されてもよい。そのような実施形態が図３Ａおよび３Ｂに図示されている。
【００３５】
図３Ａおよび３Ｂは、本発明に基づく代替的な取引インターフェースを示している。より具体的には、図３Ａおよび３Ｂはそれぞれ対話的表示３００Ａおよび３００Ｂを示している。これらの表示は好ましくはそれぞれ第一の軸上にビッド価格の列３３０を、第二の軸上にアスク価格の列３４０を含む。これらの対話的表示のそれぞれはさらに、ビッドおよびアスクの列における価格に対応する数量を表示する数量の列を含んでいてもよい。たとえば、図３Ａの数量の列３１５内で、アスク価格の列３４０内のセルに隣接して横に揃っている――すなわち、同じ水平レベルにある――セルは、それらの価格に対応するアスク数量を表示している。そこに表示されている数量は縦に揃っていて、列３１５の特定の側にオフセットされていてもよい。ビッド価格の列３３０内のセルに横に揃っているセルは、それらの価格に対応するビッド数量を表示している。そこに表示されている数量は縦に揃っていて、列３１５の前記と反対側にオフセットされていてもよい。あるいはまた、ビッド数量およびアスク数量はみな数量の列に沿って縦に揃っていてもよい。その例は図３Ｂの対話的表示３００Ｂの数量の列３２５に示されている。
【００３６】
インサイドマーケットの指標は図３Ａおよび３Ｂのそれぞれにおいて領域３０６によって示されている。領域３０６は、インサイドマーケットを表示するセルを囲む四角を含んでおり、それにより対話的表示３００Ａおよび３００Ｂのそれぞれにおける最良ビッドおよび最良アスクを強調するようになっていてもよい。領域３０６はハイライトされてもよく、辺に色を付けられてもよい。領域３０６は四角によって示されているが、そのような指標は、インサイドマーケットの逆ハイライトまたはその他の好適な視覚的な印もしくは方法を使って与えられてもよい。該その他の印もしくは方法には、最良価格および対応する数量を下線付き、斜体および／もしくはボールド体で表示したり、ならびに／または一意的もしくは異なるフォントもしくはフォントサイズを使ったりといったことが含まれる。あるいはまた、それより高いビッドや低いアスクが表示されないことで物理的な視覚的印でなくてもインサイドマーケットの指標として十分であることもある。
【００３７】
好ましくは、インサイドマーケットを表示するビッド価格およびアスク価格のセルは、対応する数量のセルと同様、価格の列３３０および３４０と平行なある軸に沿って表示される。よって、数量が存在する最良ビッド価格および最良アスク価格は、インサイドマーケットの閲覧を容易にするために対応する数量を表示するセルと同じ水平レベルに沿って表示されうる。したがって、インサイドマーケットは、価格および数量が表示されている縦の軸に垂直な横の軸に沿って表示されうる。ビッド価格の列がアスク価格の列の右に表示されるとしたら、数量の列において右側にオフセットされている数量がビッド数量に対応でき、左にオフセットされた数量の列がアスク数量に対応できる。
【００３８】
図２Ａ〜２Ｅの参照に戻ると、インサイドマーケットの指標は、インサイドマーケットの変化に続いて生起する種々の段階における領域２０６Ａ、２０６Ｂ、２０６Ｃ、２０６Ｄ、２０６Ｅによって示されている。たとえば、領域２０６Ａ、２０６Ｂ、２０６Ｃ、２０６Ｄ、２０６Ｅのそれぞれは、対話的表示２００上でのインサイドマーケットを表示するセルを囲む四角を含んでおり、それにより対話的表示２００における最良ビッドおよび最良アスクを強調するようになっていてもよい。領域２０６Ａ、２０６Ｂ、２０６Ｃ、２０６Ｄ、２０６Ｅはハイライトされてもよく、辺に色を付けられていてもよい。領域２０６Ａ、２０６Ｂ、２０６Ｃ、２０６Ｄ、２０６Ｅのそれぞれは四角によって示されているが、その指標は、インサイドマーケットの逆ハイライトまたはその他の好適な視覚的な印もしくは方法を使って与えられてもよい。該その他の印もしくは方法には、最良価格および対応する数量を下線付き、斜体および／もしくはボールド体で表示したり、ならびに／または一意的もしくは異なるフォントもしくはフォントサイズを使ったりといったことが含まれる。
【００３９】
代替的には、表示されている最高のビッド価格が１４であり表示されている最低のアスク価格が１５であるという事実が、インサイドマーケットが最良ビッド‐アスク価格が１４‐１５をもつことの指標である。表示される最高のビッド価格と表示される最低のアスク価格との間に１より大きな変化分の相違がありうることは注意しておくべきであろう。これは、数量が存在する最良ビッド価格が数量が存在する最良アスク価格よりも著しく低いためでありうる。たとえば、価格１３、１４、１５で入力されたすべての数量が取り消された場合、インサイドマーケットは１２‐１６となる。そのような状況では、最良ビッドの１２が最良アスクの１６と同じ水平レベルに表示されることができる。あるいはまた、最良ビッドの１２は最良アスクの１６とは異なる水平レベルに示されることもできる。その際、価格１３〜１５に対応する水平レベルは最良ビッドと最良オファーの間であるが、それに関連付けられた数量は示さない。
【００４０】
インサイドマーケットを表示するビッド価格およびアスク価格のセルは、対応する数量のセルと同様、価格および数量の列２１０、２２０、２３０、２４０と平行でないある軸に沿って表示されうる。よって、数量が存在する最良ビッド価格は、好ましくは、インサイドマーケットの閲覧を容易にするために数量が存在する最良アスク価格を表示するセルと並んで、またはこれに隣接して表示される。したがって、インサイドマーケットは、価格および数量が表示されている縦の軸に垂直な横の軸に沿って表示されうる。本発明の代替的な諸実施形態では、インサイドマーケットは価格の軸に垂直な軸に沿って表示されるのではない。たとえば、インサイドマーケットは図４に示すように１本の価格軸に沿って表示されてもよいし、あるいは図５に示すようにそうでなくてもよい。
【００４１】
インサイドマーケットは初期には、図２Ａの領域２０６Ａで示されるように、最良ビッド価格１４で提示されているビッド数量５および最良アスク価格１５で提示されているアスク数量３７を含んでいる。領域２０６Ａにおけるインサイドマーケットは好ましくは、対話的表示２００に示される最低ビッド価格と最高アスク価格との間の比較的中程に表示される。よって、インサイドマーケットは、図２Ａに示されるように、初期には対話的表示２００内の中心に位置されていてもよい。市場条件およびインサイドマーケットが変化するにつれ、インサイドマーケットの位置は価格および数量の列に沿って変化し、その後、表示されているビッド価格およびアスク価格ならびに数量の残りと一緒に対話的表示２００の中央にシフトして戻る。
【００４２】
図２Ｂは、対話的表示２００において示されている、以下のようなインサイドマーケットの変化を示している。インサイドマーケットが１４‐１５の最良のビッド‐アスク価格から領域２０６Ｂで表示されている１７‐１８に変化すると、領域２０７Ｂと２０６Ｂとの間のセルでビッドの価格および／または数量と関連付けられたものには値がはいることがあり、隣のアスクの価格および／または数量と関連付けられたセルは空になることがある。さらに、領域２０７Ｂのビッド側のセルは、図２Ａの領域２０６Ａの買い側に表示されていたのと同じ価格がはいったままでありうる。その一方、領域２０７Ｂのアスク側のセルは空になりうる。新しいインサイドマーケットは、ビッド数量が１３で最良ビッド価格１７で提示されており、アスク数量は５６で最良アスク価格１８で提示されている。これは図２Ｂの領域２０６Ｂで示されている。インサイドマーケットにおけるそのような変化の原因は、図１のシステム１００を通じて価格１７でのより高いビッドが入力され、受け付けられたことでありうる。
【００４３】
一般に、変化する市場条件に反応してインサイドマーケットが変化するとき、それは、たとえば本インターフェースの中心にある第一の位置から、価格の列に沿って第二の位置へと位置を変える。好ましくは、第一の価格の列において以前の最良価格がはいっていた第一のセルはその価格がはいっているままではあるが、第一の価格の列において何もはいっていなかったある第二のセルに新しい最良価格がはいる。前記第一の価格の列上で前記第一のセルおよび第二のセルの間に位置されているセルにも、その列に属する以前の最良価格と新しい最良価格との間にある価格がはいっていてもよい。第二の価格の列内において前記第一のセルに隣接し、もう一方の以前の最良価格を表示したある第三のセルの中身はなくなる。該価格の列上において、前記第一の価格の列においてこのたび値がはいったセルに隣接する他のセルも同様である。前記第一の価格の列における第二のセルおよび前記第二の価格の列においてそれに隣接するある第四のセルは前記の新しい最良ビッド価格および最良アスク価格を表示しうる。それらの価格は少なくともセル１行分中心から変位されているはずである。インサイドマーケットの指標は初期に第一の位置から第二の位置に一時に一行ずつ遷移してもいいし、そうでなくてもよい。
【００４４】
インサイドマーケットが変化し、新しいインサイドマーケットが前記第二の位置――たとえば対話的表示２００の中心以外――に表示されたのち、インサイドマーケットは対話的表示２００の中心にシフトして戻りうる。そのようなシフトプロセスは、インサイドマーケットに属する価格および数量の位置の遷移の形でありうる。図２Ｃ〜２Ｅは、本発明のいくつかの実施形態に基づくそのようなシフトプロセスを示している。それは以下のようなものである。インサイドマーケット１７‐１８が図２Ｂに示されるように領域２０６Ｂに表示されたのち、インサイドマーケットの位置は図２Ｃに示されるように領域２０６Ｃに、次いで図２Ｄに示されるように領域２０６Ｄに遷移し、その後、図２Ｅに示されるように領域２０６Ｅに戻るよう遷移し、再び中心に位置される。この２０６Ｅは、図２Ａにおける領域２０６Ａの位置に対応する位置を有している。
【００４５】
遷移プロセスの各ステップにおいて、適切な方法――たとえば、ハイライト、ボールド化または他の任意の好適な方法――を使ってインサイドマーケットを識別してもよい。そのような遷移プロセスは一時に一行の速度で行われてもよい。その際の速さは、たとえばそのような取引画面を表示するシステムを使用するトレーダーにとって好適でありうる速さであってもよい。遷移が行われうる速さは上げてもよいし、該遷移プロセスのポーズすなわち一時停止の点まで下げてもよい。そのような速さはユーザーによって定義されてもよいし、ユーザーまたは市場の活動に依存しているのでもよい。たとえば、シフトプロセスの間にユーザーが注文を出す際は遷移プロセスは遅くなったり、あるいは一時的にポーズしたり（あるいは目に見えて段階的な仕方で進んだり）してもよい。これは、シフトプロセスの間にそのユーザーまたは他の任意のユーザーによって出されるいかなる注文についても起こってよいし、あるいは特定の価格水準で注文が入力されるときに起こってもよい。シフトプロセスは、価格および数量の列における他のすべての価格および数量の位置の、上記したのと同様の遷移を通じた対応するシフトを伴いうる。そのような各遷移により、対応する価格および数量の列に値がはいっているセルの数は減少しうる。たとえば、図２Ｂの列２１０および２３０は、値のはいったセルを、以前に図２Ａにおいて含んでいたよりも多く含みうる。また、図２Ｂの列２１０および２３０は、値のはいったセルを、のちに図２Ｃ、２Ｄ，２Ｅのそれぞれにおいて含みうるよりも多く含みうる。シフトプロセスの終わりには、図２Ｅの列２１０および２３０は、図２Ａにおいて含んでいたのと同数の値のはいったセルを含みうる。
【００４６】
シフトプロセスは、価格および数量の列に平行な方向になされうる。より具体的には、各遷移はセル単位でなされ、すべてのセルが実質的に同時に遷移してもよい。このとき、各セルの位置は別の位置で置き換えられる。したがって、そのようなシフトは一時に一行の速度で行われ、すべての行が実質的に同時に遷移する。そのような遷移それぞれについて、第一の価格列において値のはいっているセルの数は減少しうる一方、第二の価格列において値のはいっているセルの数は増加しうる。本発明のその他の実施形態では、ビッド価格およびアスク価格が一つのセルから別のセルへと実質的に同時に遷移するシフトがなされうる。そのような状況では、図２Ａ〜２Ｅに示されたセルは同じ位置に留まる一方、その中に表示される価格は位置を変える、すなわちあるセルから別のセルへと遷移しうる。本発明のさらにほかの実施形態では、シフトプロセスは一時に二行以上の割合で行われうる。たとえば、遷移は一時に二行またはそれ以上の割合で行われてもよい。本発明の代替的な諸実施形態では、シフトプロセスは実質的に連続的――たとえばピクセル単位――で、比較的シームレスな仕方で表示されるのでもよい。
【００４７】
シフトプロセスの間にインサイドマーケットが変化する場合、インサイドマーケットの指標は、実質的に即座に――すなわち中間の行を通っての遷移なしで――新しいインサイドマーケットに対応する価格水準にシフトされてもよいし、あるいは所定の速度で新しいインサイドマーケットに対応する価格水準まで遷移してもよい。
【００４８】
あるいはまた、インサイドマーケットの位置を再び中心にするために、ユーザーが領域２０６Ａ（または２０７Ｂまたは２０７Ｃまたは２０７Ｄまたは２０７Ｅ）のクリックなど特定の行動を行ってもよい。インサイドマーケットの位置は任意の時点において、あるいは任意の適切な理由で、自動的に中心に位置され直されてもよい。
【００４９】
本発明に基づく中心に位置し直させる機能のさらにもう一つの代替的な実施形態では、中心に位置し直させることは比に基づいて実装されてもよい。この実施形態では、インサイドマーケットの位置は画面の中心に位置し直されるのではなく、画面の中心からインサイドマーケットの変化に対する何らかの割合によってオフセットされる。たとえば、表示の中心線およびその結果としてインサイドマーケットの表示は、好ましくは、インサイドマーケットが該インサイドマーケットのもとの――すなわちその参加者の取引セッションが始まった時点または他の好適な時点での――位置から１きざみ（ｔｉｃｋ）動くごとにセル高さの１／４または他の好適な量だけ上にシフトする。
【００５０】
こうして、上で論じた例では、図２Ａ〜２Ｅの列２３０および２４０は、図３Ａおよび３Ｂの列３３０および３４０と同様、変化する市場条件に基づいて変化しうるという意味で動的でありうる。たとえば、価格列２３０および２４０はいずれもインサイドマーケットの変化に基づいて変化する。これらの価格列の変化は、一方の列から他方の列への、あるいは同一列内での表示された価格の位置の変化によって特徴付けられうる。該変化はまた、一方の列に表示されている値のはいったセルの数の減少と、他方の列に表示される値のはいったセルの数の対応する増加によっても特徴付けられうる。さらに、表示上の位置もそのような市場条件の変化に基づいて変化しうる。よって、共通の静的価格軸を使用する他の諸システムとは異なり、本システムのいくつかの実施形態は二重の動的価格軸を使用することが見て取れる。
【００５１】
典型的には、通常の取引システムでは、ユーザーはそれぞれのコマンドを、対話的表示上の特定のフィールドに価格および数量をタイプすることにより入力する。本発明に基づく対話的取引は、注文を入力するために図１の入力装置１１３を使って実装されうる。それは以下のようなものである。図１の入力装置はマウス、トラックボール、ゲームコントローラ、タッチパッド、キーボード、それらの任意の組み合わせまたは注文を入力するためにユーザーが使用しうる任意の好適な入力装置でありうる。好ましくは、ユーザーはたとえば価格８での購入（ビッド価格の列２３０に図示されているような）を、少なくともポインタをセル２０８まで動かしてそのセルをクリックすることによって入力しうる。そのような注文は価格８での追加的なビッドとして入力されることができ、ビッド数量の列２１０に属する隣接セルに表示されている数量がユーザーによって入力された数量を取り入れるべく調整されうる。
【００５２】
あるいはまた、ユーザーは、少なくともポインタをセル２０９まで動かしてそのセルをクリックすることによって、価格８でのビッドをヒット――すなわち売りを入力――してもよい。同様に、ユーザーは価格１８での売り（アスク価格の列２４０に図示されているような）を、少なくともポインタをセル２１１まで動かしてそのセルをクリックすることによって入力しうる。そのような注文は価格１８での追加的なアスクとして入力されることができ、アスク数量の列２２０に属する隣接セルに表示されている数量がユーザーによって入力された数量を取り入れるべく調整されうる。ユーザーは、少なくともポインタをセル２１２まで動かしてそのセルをクリックすることによって、価格１８でのアスクをリフト――すなわち買いを入力――してもよい。
【００５３】
ユーザーは、あとで任意の適切な方法を使って修正できるデフォルト数量を設定することもでき、それによりそのユーザーがある選択された価格での注文を入力するたびに、ユーザーが変更しない限りそのデフォルト数量についての注文が入力される。あるいはまた、ユーザーが少なくとも二つのボタン――たとえば左クリックボタンおよび右クリックボタン――を持つ入力装置を使っている場合には、ユーザーはボタンの一方をデフォルト数量についての注文を入力するのに使い、ボタンの他方を別の数量――たとえば異なるデフォルト数量――を入力したり、数量、価格、注文種別またはそれらの任意の組み合わせを表示ウィンドウ、ダイアログボックス、ポップアップメニュー、ツールバー、ペイン、コマンドラインまたは他の任意の好適な取引インターフェースから選んだりするために使うことができる。さらに、そのユーザーがホイールのようなスクロール機能をもつ入力装置を利用しているならば、ユーザーは該ホイールを使って所望の変化分だけデフォルト数量を増やしたり減らしたりすることもできる。本発明のいくつかの実施形態では、ユーザーがビッド列とアスク列のどちらのセルをクリックするかによって、ユーザーがビッド、アスク、買い、売りのどれをしようとしているのかが判別されうる。本発明の代替的な実施形態では、右クリックがヒット（売る）またはアスク（売り注文を出す）の注文と関連付けられうる一方、左クリックはリフト（買う）またはビッド（買い注文を出す）の注文と関連付けられうる。右クリックと左クリックは逆でもよい。
【００５４】
スクロールの他の実装については、本発明に基づくシステムおよび方法においては、スクロール入力を使って特定の表示上で上または下にスクロールすることが好ましくもできることを注意しておくべきであろう。好ましくは、スクロールは当該プログラムの通常の機能を中断しない。あるいはまた、スクロールはスクロールの時点で表示されている他の処理を一時的にポーズさせてもよい。
【００５５】
本発明のいくつかの実施形態では、シングルクリックは表示されている価格および数量での取引を発動させうる。本発明の他の実施形態では、ダブルクリックが取引を発動させうる。後者の実施形態では、シングルクリックはオーバーレイウィンドウ、ポップアップメニュー、ツールバーまたは同様もしくは異なる表示もしくはインターフェースが表示されるようにしうる。これらの状況では、第一のクリックに続いて、ポインタが、取引を確定するため、デフォルト選択を表示するボタンに変形してもよい。本発明のいくつかの実施形態では、第一のクリックに続いて、ポインタは、取引を確定するため、単語「ｙｅｓ」などを表示するボタンに変形してもよい。本発明の他の実施形態では、注文入力プロセスにおける、ユーザーによる第一のクリックなどの第一またはその後のステップにより、価格および選択された数量（またはデフォルト数量）を示す別の表示が引き起こされてもよい。本発明のさらに別の実施形態によれば、第一のクリックは別の表示ウィンドウの表示を引き起こしてもよい。該表示ウィンドウは一組の代替的な数量を含んでいて、第二のクリックを通じて注文を確定する前にそこからユーザーが選びうる。
【００５６】
可能かつ適切であるときには常にシングルクリックがダブルクリックの代替としてのはたらきをなしうることを注意しておくべきであろう。その場合、ダウンクリックが第一のクリックと同じ機能を実行することができ、ボタンを放すこと、すなわちアップクリックが第二のクリックと同じ機能を実行しうる。
【００５７】
ビッド価格、ビッド数量、アスク価格および／またはアスク数量の列における値のはいっていないセルは代替的に、そのセルが位置しているのと同じ行に表示されている対応する価格での任意の種類の好適な注文を実装および表示するために使用されてもよい。好適な注文の例としては、全部ヒット／リフトの注文、逆指し値注文、条件付き成り行き注文が含まれる。
【００５８】
誤った価格水準で取引コマンドが入力されるのを防止するのを助けるため、本発明のいくつかの実施形態によれば、システムはユーザーが指す価格にポインタをロックしてもよい。よって、ある特定の価格を含む、あるいはある特定の価格に隣接するセルにユーザーがポインタを移動させると、システムはポインタをその価格にロックしうる。すなわち、インサイドマーケットの指標がシフトするとき、ユーザーがポインタを動かしてそのセルから動かさない限り、ポインタは、その同じ価格を含む、またはその同じ価格に隣接するセルを指すよう位置を直されうる。ユーザーがポインタを動かしてそのセルから動かさない限り、ユーザーがコマンドを入力すべくクリックすると、ユーザーによって所望される価格についてのコマンドが入力される。ポインタをそのセルから動かした場合には、ポインタがその同じ価格を指すよう位置し直されることはなくなる。ある特定の価格にロックされていることは、図２Ａ〜２Ｅの稲妻２２２のような視覚的な印を表示することによって、あるいは適切なセルをハイライトすることによって指示されうる。たとえば、インサイドマーケットの位置のセル２０６Ｃ、２０６Ｄ、２０６Ｅへの遷移ののち、ポインタはそれぞれセル２１３、２１４、２１５を指すよう位置され直されうる。上に述べた注文入力プロセスは、図３〜図５に示されているすべてのインターフェースと一緒に使うこともでき、それらのインターフェースに適応されることもできる。
【００５９】
前述したように、ユーザー活動に基づいて、シフトが行われる速さは上げてもよいし、該シフトプロセスのポーズすなわち一時停止の点まで下げてもよい。そのような速さは、ユーザーがポインタを使って特定の価格水準を指すかロックしようとしているのか、それともユーザーがポインタを対話的インターフェースからどけようとしているかに基づいて変わりうる。たとえば、ポインタが当該インターフェース内のある価格またはセルを指そうとしているときには遷移プロセスは、ポインタが当該インターフェースの境界内に位置していないときに比べて遅いことがありうる。さらに、ポインタがインサイドマーケットに近づけられるほど、遷移プロセスは遅くなりうる。
【実施例１】
【００６０】
本発明は、上記したもののほかにもいかなるレイアウト技法、形または形状を含むさまざまな実施形態において実施されうる。たとえば、価格および数量は、実質的に円弧に沿って表示されてもよい。それにより、結果として得られる対話的インターフェースが完全な円もしくは楕円または図４に示されるように円もしくは楕円の少なくとも一部分を表すようになる。図４の対話的インターフェース４００は、ビッド価格およびアスク価格をそれに対応する数量とともに表示するために、一つまたは複数の弧４１０を含みうる。あるいはまた、半円領域４２０は、部分４３３のようなパイ形を含みうる。弧４１０に示されている価格に関連付けられた数量の対応する指標を伝えるために、該パイ形は選択的に色付けされ、充填され、大きさを決められる。そのような実施形態では、インサイドマーケットの指標は、数量が存在している最良ビッド価格および最良アスク価格を分離する動径方向の軸４０５を通じて実装される。弧４１０および／または追加的な弧により、受け付けられる（もしくは拒否される）前の提出された注文の数量、完了した取引の数量および／または総数量のうちの当該ユーザーのシェアも表示されうる。
【実施例２】
【００６１】
もう一つの例として、図５の対話的インターフェース５００はそれぞれビッド価格およびアスク価格を表示するために弧５３０および５４０を含みうる。対話的インターフェース５００はまた、それぞれ対応するビッド数量およびアスク数量を表示するために弧５１０および５２０をも含みうる。あるいはまた、対話的インターフェースは、数量の指標を伝えるために部分５３３のようなパイ形を含んでいてもよい。その場合、弧５１０および５２０は総ビッド数量および総アスク数量ののうち当該ユーザーのシェア、受け付けられる（もしくは拒否される）前の提出された注文の数量、および／または完了した取引の数量を表示してもよい。弧５１０および５２０に表示される情報は代わりに単一の弧に表示されてもよい。あるいはまた、そのような情報は弧５３０および５４０のそれぞれに含められてもよい。
【００６２】
インサイドマーケットの指標は、数量が存在する最良ビッド価格と最良アスク価格を分離する動径方向の軸５０５を通じて実装されうる。図２の議論と同様に、インサイドマーケットは初期に最良ビッド価格１４で提供されているビッド数量５と最良アスク価格１５で提供されているアスク数量３７を含みうる。市場条件およびインサイドマーケットが変化すると、インサイドマーケットの位置は、表示されているビッドおよびアスクの価格および数量の残りとともに、弧５３０および５４０に沿って変化してからもとの位置に戻りうる。インサイドマーケットの指標は、本インターフェースの中心にあるものを含め任意の位置をデフォルトとするよう設定されうる。
【００６３】
ここに記載された対話的表示はいかなる種類の取引アプリケーション、システムまたは交換所（ｅｘｃｈａｎｇｅ）において使用されてもよい。たとえば、オークション取引システム、対話的付け合わせシステム、自動化付け合わせシステム、価格改良システム、ＦＩＦＯ（先入れ先出し）システム、ＲＦＱ（Ｒｅｑｕｅｓｔ  ｆｏｒ  Ｑｕｏｔｅ）システムなどである。そして、いかなる種類の品目の取引にも適用されうる。これに含まれる場合としては、ユーザーが取引する排他的な権利を認められている場合またはそうでない場合、ユーザーがその地位もしくは市場での役割、ユーザーの取引の開始もしくは参加段階および／またはユーザーの参加の度合いもしくは程度に基づいて取引のあるシェアを与えられている場合およびそうでない場合、既存の協定もしくは分配アルゴリズムに基づいて案分ベースで取引のシェアを与えられている場合およびそうでない場合、あるいはそれらの任意の組み合わせがある。
【００６４】
さらに、ここに記載された取引アプリケーションは、本発明の諸特徴を実装するよう構成されたいかなる好適なソフトウェア、ハードウェアまたはその両者であってもよい。取引アプリケーションは中央位置（たとえば図１のサーバー１２０のような中央サーバー）に位置されていてもよく、そのインスタンスが該中央位置に接続されたワークステーション（たとえば図１のワークステーション１０１）上に保存されていてもよい。別の好適なアプローチでは、取引アプリケーションは種々の位置（たとえば、図１のコンピュータネットワーク１０３のようなネットワーク）の間に存在していてもよい。
【００６５】
上に記載した取引システムおよび方法またはその変形は、ここで論じるか図示するかした対話的表示と一緒に、あるいはそれらの対話的表示に対する変形と一緒に実装されうる。
【００６６】
当業者は本発明がここに記載されているもの以外のさまざまな実施形態で実施されうることを認識するはずである。たとえば、論じるか図示するかした対話的表示のさまざまな部分の大きさ、形、構成、色およびラベルは解説の目的のために示された例でしかないことは理解されるであろう。これらの部分の以上の特性のいかなる部分も、あるいはその全部を修正することも本発明の範囲内であることは理解されるであろう。ここに論じられるか図示されるかした実施形態は、単一の静的な価格軸、二重の動的価格軸または他の任意の好適な表示を使う取引インターフェースに適用されうる。
【００６７】
以上はあくまでも本発明の原理を解説するものであって、当業者は本発明の範囲および精神から外れることなくさまざまな修正をなすことができること、そして本発明が付属の請求項によってのみ定義されることは理解されるであろう。
【００６８】
いくつかの態様を開示しておく。
〔態様１〕
品目についての市場情報を表示する方法であって：
ユーザーインターフェース上に、ある第一軸に沿った複数のビッド価格とある第二軸に沿った複数のアスク価格を表示し、
ユーザーインターフェース上に、前記第一軸および第二軸に沿ったある第一の位置にインサイドマーケットの指標を表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記第一軸に沿った複数のビッド価格および前記第二軸に沿った複数のアスク価格をシフトさせて、前記インサイドマーケットの指標を前記第一の位置に戻す、
ことを含む方法。
〔態様２〕
前記第二軸が前記第一軸に平行である、態様１記載の方法。
〔態様３〕
前記第一軸と前記第二軸が同じである、態様１記載の方法。
〔態様４〕
前記第一軸および前記第二軸が曲線状の軸である、態様１記載の方法。
〔態様５〕
前記インサイドマーケットがある第一のビッド価格およびある第一のアスク価格からある第二のビッド価格およびある第二のアスク価格のうちの少なくとも一つに変化するときに、前記第一軸または前記第二軸に沿って少なくとも一つの追加的な価格を表示し、該少なくとも一つの追加的な価格が前記第二のビッド価格または第二のアスク価格を含む、態様１記載の方法。
〔態様６〕
前記複数のビッド価格およびアスク価格をシフトさせるときに、前記第一軸および前記第二軸沿いに、以前にはユーザーインターフェース上に表示されていなかった一つまたは複数のビッド価格およびアスク価格を表示させることをさらに含む、態様１記載の方法。
〔態様７〕
前記複数のビッド価格およびアスク価格をシフトさせることが、前記複数のビッド価格およびアスク価格をユーザーインターフェース内でピクセル単位でシフトさせることを含む、態様１記載の方法。
〔態様８〕
前記複数のビッド価格およびアスク価格を表示することが：
前記複数のビッド価格を、第一軸に沿って整列された第一の複数のセル内に表示し、
前記複数のアスク価格を、第二軸に沿って整列された第二の複数のセル内に表示する、
ことを含む、態様１記載の方法。
〔態様９〕
前記複数のビッド価格およびアスク価格をシフトさせることが、前記複数のビッド価格およびアスク価格をセル単位で遷移させることを含む、態様８記載の方法。
〔態様１０〕
前記複数のビッド価格およびアスク価格をセル単位でシフトさせることが、前記複数のセルを実質的に同時に遷移させることを含む、態様８記載の方法。
〔態様１１〕
前記複数のビッド価格およびアスク価格をセル単位でシフトさせることが、前記第一および第二の複数の価格をセルからセルへと実質的に同時に遷移させることを含む、態様８記載の方法。
〔態様１２〕
前記複数のビッド価格およびアスク価格をシフトさせることがある特定の速さで行われる、態様１記載の方法。
〔態様１３〕
前記速さが前記ユーザーインターフェースを含んでいる電子取引システムのユーザーによって設定される、態様１２記載の方法。
〔態様１４〕
前記速さが市場活動に基づくものである、態様１２記載の方法。
〔態様１５〕
前記ユーザーインターフェースのユーザーが当該品目を取引するコマンドを入力するときに前記速さが低下する、態様１２記載の方法。
〔態様１６〕
前記複数のビッド価格およびアスク価格をシフトさせることが、入力装置に関連付けられたポインタが前記複数のビッド価格およびアスク価格のうちの一つを指しているときには、前記ポインタが前記複数のビッド価格およびアスク価格のどれも指していないときよりも遅い速さで行われる、態様１記載の方法。
〔態様１７〕
インサイドマーケットが変化すると、表示されている前記複数の価格のうち少なくとも一つがユーザーインターフェース内の前記第一軸および第二軸の間で位置を変える、態様１記載の方法。
〔態様１８〕
当該品目を取引するコマンドをユーザーから受け取ることをさらに含む、態様１記載の方法。
〔態様１９〕
前記コマンドが前記第一軸および第二軸に表示される複数の価格のうち少なくとも一つの選択を含む、態様１８記載の方法。
〔態様２０〕
前記コマンドがある選択された価格における当該品目のある特定の数量に関係する、態様１８記載の方法。
〔態様２１〕
前記コマンドが、ビッド、アスク、買いおよび売りよりなる群から選択される注文を含む、態様１８記載の方法。
〔態様２２〕
前記コマンドが、マウス、トラックボール、ゲームコントローラ、タッチパッドおよびキーボードよりなる群から選択される入力装置を通じて受け取られる、態様１８記載の方法。
〔態様２３〕
前記複数のビッド価格およびアスク価格をシフトさせるのと実質的に同時に、ユーザーインターフェースの入力装置に関連付けられたポインタの位置を直し、ポインタが、インサイドマーケットの変化の前に以前指されていた価格を指しているようにする、態様１記載の方法。
〔態様２４〕
指されていた価格からポインタが動かされるときにはポインタの位置を直すことをやめることをさらに含む、態様２３記載の方法。
〔態様２５〕
ユーザーインターフェース上に、前記第一軸に平行なある第三軸に沿って複数の数量を表示することをさらに含んでおり、前記複数の数量のうちの少なくとも一つが、該複数の数量のうちの少なくとも一つの位置と揃っている第一軸に沿った位置に表示されている価格についての当該品目の少なくとも一つの注文に対応する、態様１記載の方法。
〔態様２６〕
ユーザーインターフェース上に、前記第二軸に平行なある第四軸に沿って第二の複数の数量を表示することをさらに含んでおり、前記第二の複数の数量のうちの少なくとも一つが、該第二の複数の数量のうちの少なくとも一つの位置と揃っている第二軸に沿った位置に表示されている価格についての当該品目の少なくとも一つの注文に対応する、態様２５記載の方法。
〔態様２７〕
品目についての市場情報を表示する方法であって：
ユーザーインターフェース上に、ある第一軸に沿った複数のビッド価格とある第二軸に沿った複数のアスク価格を表示し、
ユーザーインターフェース上に、前記第一軸および第二軸に沿ったある第一の位置にインサイドマーケットの指標を表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記インサイドマーケットの指標を前記第二の位置に表示するのに続いて、前記第一軸に沿った複数のビッド価格および前記第二軸に沿った複数のアスク価格をシフトさせ、
前記複数のビッド価格およびアスク価格をシフトさせるのと実質的に同時に、ユーザーインターフェースの入力装置に関連付けられたポインタの位置を直し、ポインタが、インサイドマーケットの変化の前に以前指されていた価格を指しているようにする、
ことを含む方法。
〔態様２８〕
品目についての市場情報を表示するシステムであって：
サーバーであって、当該品目と関連付けられた複数のビッド価格およびアスク価格を該サーバーに結合されている複数のワークステーションに配送するよう適応されたサーバーを有しており、前記複数のワークステーションのそれぞれはユーザーインターフェースを表示するとともに：
ユーザーインターフェース上に、ある第一軸に沿った複数のビッド価格とある第二軸に沿った複数のアスク価格を表示し、
ユーザーインターフェース上に、前記第一軸および第二軸に沿ったある第一の位置にインサイドマーケットの指標を表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記第一軸に沿った複数のビッド価格および前記第二軸に沿った複数のアスク価格をシフトさせて、前記インサイドマーケットの指標を前記第一の位置に戻す、
よう適応されているシステム。
〔態様２９〕
品目についての市場情報を表示するシステムであって：
サーバーであって、当該品目と関連付けられた複数のビッド価格およびアスク価格を該サーバーに結合されている複数のワークステーションに配送するよう適応されたサーバーを有しており、前記複数のワークステーションのそれぞれはユーザーインターフェースを表示し、注力装置を有するとともに：
ユーザーインターフェース上に、ある第一軸に沿った複数のビッド価格とある第二軸に沿った複数のアスク価格を表示し、
ユーザーインターフェース上に、前記第一軸および第二軸に沿ったある第一の位置にインサイドマーケットの指標を表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記インサイドマーケットの指標を前記第二の位置に表示するのに続いて、前記第一軸に沿った複数のビッド価格および前記第二軸に沿った複数のアスク価格をシフトさせ、
前記複数のビッド価格およびアスク価格をシフトさせるのと実質的に同時に、ユーザーインターフェースの入力装置に関連付けられたポインタの位置を直し、ポインタが、インサイドマーケットの変化の前に以前指されていた価格を指しているようにする、
よう適応されているシステム。
【符号の説明】
【００６９】
１１０  ワークステーション
１１１  プロセッサ
１１２  ディスプレイ
１１３  入力装置
１１４  メモリ
１２０  サーバー
１２１  プロセッサ
１２２  ディスプレイ
１２３  入力装置
１２４  メモリ
１３０  バックオフィス精算センター
【図１】
2015212973.tif 000003
【図２Ａ】
2015212973.tif 000004
【図２Ｂ】
2015212973.tif 000005
【図２Ｃ】
2015212973.tif 000006
【図２Ｄ】
2015212973.tif 000007
【図２Ｅ】
2015212973.tif 000008
【図３Ａ】
2015212973.tif 000009
【図３Ｂ】
2015212973.tif 000010
【図４】
2015212973.tif 000011
【図５】
2015212973.tif 000012